(57)【要約】【課題】形状が異なる二種類のスタンドのどちらを被梱包品と一緒に梱包する場合でも、共通のスタンド収容凹部にガタツキなく収容して梱包できるように改良した梱包用緩衝材を提供する。【解決手段】被梱包品３と外箱との間に介在させる樹脂発泡体１，２からなる緩衝材であって、この緩衝材の表面には、ほぼ平行な両側面４ａを備えた第一のスタンド４でも、前拡がり状に傾斜する両側面を備えた第二のスタンドでも収容可能な収容凹部６が形成されており、該収容凹部６は、その両側内面６ａの一部が第一のスタンド４のほぼ平行な両側面４ａを両側から当止する第一の当止面６ｂに形成されると共に、その両側内面６ａの他の一部が第二のスタンドの前拡がり状に傾斜した両側面を両側から当止する第二の当止面６ｃに形成されている構成の梱包用緩衝材とする。【選択図】図３
2010149869.tif 000002
【特許請求の範囲】
【請求項１】
被梱包品と外箱との間に介在させる樹脂発泡体からなる緩衝材であって、
上記緩衝材の表面には、ほぼ平行な両側面を備えた第一のスタンドでも、前拡がり状に傾斜する両側面を備えた第二のスタンドでも収容可能な収容凹部が形成されており、
上記収容凹部は、その両側内面の一部が第一のスタンドのほぼ平行な両側面を両側から当止する第一の当止面に形成されると共に、その両側内面の他の一部が第二のスタンドの前拡がり状に傾斜した両側面を両側から当止する第二の当止面に形成されていることを特徴とする梱包用緩衝材。
【請求項２】
上記収容凹部の底部には、上記第一のスタンド及び第二のスタンドのそれぞれの中央部に突設された同一形状のネック部の一部又は全部が嵌まり込む切欠部が形成されていることを特徴とする請求項１に記載の梱包用緩衝材。
【請求項３】
上記緩衝材が、被梱包品の上部に嵌合させて外箱との間に介在させる上部樹脂発泡体と、被梱包品の下部に嵌合させて外箱との間に介在させる下部樹脂発泡体とからなり、上記収容凹部が上部樹脂発泡体と下部樹脂発泡体の双方に分割して形成されていることを特徴とする請求項１又は請求項２に記載の梱包用緩衝材。
【請求項４】
上記切欠部が、下部樹脂発泡体に分割形成された収容凹部の底部のみに形成されていることを特徴とする請求項３に記載の梱包用緩衝材。
【発明の詳細な説明】
【技術分野】
【０００１】
本発明は、液晶テレビなどの被梱包品を外箱に収容して梱包する際に被梱包品と外箱との間に介在させる梱包用緩衝材に関し、特に、形状が異なる二種類のスタンドのどちらを液晶テレビと一緒に梱包する場合でも、共通の収容凹部にガタツキなく収容して梱包できるように改良した梱包用緩衝材に関する。
【背景技術】
【０００２】
周知のように、液晶テレビなどの被梱包品を外箱に収容して梱包する場合は、運搬時や落下時の衝撃から被梱包品を保護するために、被梱包品と外箱との間に発泡スチロール等からなる梱包用緩衝材を介在させている。このような梱包用緩衝材には収容凹部を設けて液晶テレビのスタンドを収容し、液晶テレビの本体と一緒に梱包すること多い。
【０００３】
また、平面テレビの包装構造であって、ディスプレーパネルの上端に左右一対のパッキン材を嵌合し、これらのパッキン材に収納溝を設けて底台（スタンド）の両端を収納溝に挿入し、ディスプレーパネルと底台を一緒に包装するようにしたものなども知られている（特許文献１）。
【特許文献１】特開２００８−１２０４５１号公報
【発明の開示】
【発明が解決しようとする課題】
【０００４】
しかしながら、液晶テレビには、スタンドの形状のみが異なるモデルがあり、そのようなモデルの液晶テレビを梱包する場合には、新しい金型を起こして、異なる形状のスタンドに合致した収容凹部を有する新しい梱包用緩衝材を作製し、この梱包用緩衝材を用いて異なる形状のスタンドを液晶テレビの本体と一緒にガタツキなく梱包することが必要になるため、コストアップを招くという問題があった。けれども、スタンドの形状が異なるとは言っても、実際にはそれほど大きく異なるものではなく、例えば、一方のスタンドがほぼ平行な両側面を有する平面形状であるのに対し、他方のスタンドは前拡がり状に傾斜した両側面を有する平面形状であるという程度のものであった。
【０００５】
本発明は上記事情の下になされたもので、その解決しようとする課題は、形状が異なる二種類のスタンドのどちらを液晶テレビと一緒に梱包する場合でも、共通の収容凹部にガタツキなく収容して梱包できるように改良した梱包用緩衝材を提供することにある。
【課題を解決するための手段】
【０００６】
上記課題を解決するため、本発明に係る梱包用緩衝材は、被梱包品と外箱との間に介在させる樹脂発泡体からなる緩衝材であって、この緩衝材の表面には、ほぼ平行な両側面を備えた第一のスタンドでも、前拡がり状に傾斜する両側面を備えた第二のスタンドでも収容可能な収容凹部が形成されており、該収容凹部は、その両側内面の一部が第一のスタンドのほぼ平行な両側面を両側から当止する第一の当止面に形成されると共に、その両側内面の他の一部が第二のスタンドの前拡がり状に傾斜した両側面を両側から当止する第二の当止面に形成されていることを特徴とするものである。
【０００７】
本発明の梱包用緩衝材においては、上記収容凹部の底部に、第一のスタンド及び第二のスタンドのそれぞれの中央部に突設された同一形状のネック部の一部又は全部が嵌まり込む切欠部を形成することが好ましい。
【０００８】
また、上記緩衝材が、被梱包品の上部に嵌合させて外箱との間に介在させる上部樹脂発泡体と、被梱包品の下部に嵌合させて外箱との間に介在させる下部樹脂発泡体とからなり、上記収容凹部が上部樹脂発泡体と下部樹脂発泡体の双方に分割して形成されていてもよい。そして、上記切欠部が、下部樹脂発泡体に分割形成された収容凹部の底部のみに形成されていてもよい。
【発明の効果】
【０００９】
本発明の梱包用緩衝材を用いると、第一のスタンドを収容凹部に収容する場合は、第一のスタンドのほぼ平行な両側面が収容凹部の第一の当止面によって両側から当止されてガタツキを生じないように固定され、第二のスタンドを収容凹部に収容する場合は、第二のスタンドの前拡がりに傾斜した両側面が収容凹部の第二の当止面二よって両側から当止されてガタツキを生じないように固定されるため、いずれのスタンドを収容凹部に収容してもガタツキなく梱包することができる。このように、形状が異なる二種類のスタンドでも、本発明の梱包用緩衝材を共用してガタつきなく梱包することができるので、これまでのように第一のスタンドに合致する形状の収容凹部を備えた梱包用緩衝材と、第二のスタンドに合致する形状の収容凹部を備えた梱包用緩衝材を別々に作製することが不要となり、梱包費用の大幅な削減が可能となる。
【００１０】
特に、上記収容凹部の底部に、第一のスタンド及び第二のスタンドのそれぞれの中央部に突設された同一形状のネック部の一部又は全部が嵌まり込む切欠部を形成したものは、ネック部も切欠部によって位置決めされるため、いずれのスタンドも一層ガタツキなく収容凹部に収容して梱包することができる。
【００１１】
また、スタンドは面積が大きいので、スタンドを収容する収容凹部は上部樹脂発泡体と下部樹脂発泡体に分割して形成することができ、このように収容凹部を分割して形成した場合は、第一及び第二のスタンドのネック部の一部が嵌まり込む切欠部を下部樹脂発泡体の底部に形成するだけで、双方のスタンドを一層ガタツキなく収容して梱包することができる。
【発明を実施するための最良の形態】
【００１２】
以下、図面を参照して本発明の具体的な実施形態を詳述する。
図１は本発明の一実施形態に係る梱包用緩衝材の斜視図、図２は同梱包用緩衝材の背面図、図３はスタンド収容凹部にスタンドを収容した同梱包用緩衝材の背面図、図４はスタンド収容凹部に他のスタンドを収容した同梱包用緩衝材の背面図、図５の（ａ）及び（ｂ）はスタンドの平面図及び側面図、図５の（ｃ）及び（ｄ）は他のスタンドの平面図及び側面図、図６は備品収容凹部に付属備品を収容した同梱包用緩衝材の上部樹脂発泡体の部分平面図、図７は図６のＡ−Ａ線拡大断面図である。
【００１３】
この梱包用緩衝材は、図１，図２に示すように、発泡スチロール製の上部樹脂発泡体１と、同じく発泡スチロール製の下部樹脂発泡体２とから成るものであって、上部樹脂発泡体１は被梱包品たる液晶テレビ（本体）３の上部に嵌合されて外箱（不図示）との間に介在され、下部樹脂発泡体２は液晶テレビ３の下部に嵌合されて外箱との間に介在されるようになっている。
【００１４】
図２〜図４に示すように、上部樹脂発泡体１と下部樹脂発泡体２の背面には、図５に示す形状の異なった第一のスタンド４又は第二のスタンド５のどちらでも収容可能なスタンド収容凹部６が分割して形成されており、また、図１に示すように、上部樹脂発泡体１の上面には、液晶テレビ３の種々の付属備品を収容する備品収容凹部７ａ，７ｂ，７ｃ，７ｄ，７ｅが形成されている。
【００１５】
スタンド収容凹部６に収容される第一のスタンド４は、図５の（ａ）（ｂ）に示すように、ほぼ平行な両側面４ａ，４ａを備えた平面形状がほぼ方形の偏平なスタンドであって、その中央部に中空のネック部４ｂが上向きに突設されたものである。また、第二のスタンド５は、図５の（ｃ）（ｄ）に示すように、前拡がり状に傾斜する両側面５ａ，５ａを備えた平面形状がほぼ二等辺台形の偏平なスタンドであって、その中央部に上記ネック部４ｂと同一形状の中空のネック部５ｂが上向きに突設されたものである。
【００１６】
これらのスタンド４，５を収容するために上部樹脂発泡体１と下部樹脂発泡体２の双方の背面に分割して形成された収容凹部６，６は、図２〜図４に示すように、その両側内面６ａ，６ａの後半部分が、第一のスタンド４のほぼ平行な両側面４ａ，４ａの後半部分を両側から当止する第一の当止面６ｂ，６ｂに形成されており、この第一の当止面６ｂ，６ｂは当然のことながら第一のスタンド４の両側面４ａ，４ａと同様にほぼ平行に形成されている。そして、スタンド収容凹部６，６の前半部分は、第二のスタンド５の前拡がり状に傾斜した両側面５ａ，５ａの前半部分を両側から当止する第二の当止面６ｃ，６ｃに形成されており、この第二の当止面６ｃ，６ｃは当然のことながら第二のスタンド５の両側面５ａ，５ａと同じ角度で前拡がり状に傾斜している。
【００１７】
また、下部樹脂発泡体２に分割形成されたスタンド収容凹部６の底部には、第一のスタンド４又は第二のスタンド５のいずれかを裏返しにして収容凹部に６，６に収容したとき、ネック部４ｂ又は５ｂの一端部が嵌まり込む切欠部６ｄが形成されている。
【００１８】
上部樹脂発泡体１と下部樹脂発泡体２の背面に分割して形成された上記のスタンド収容凹部６，６に第一のスタンド４を裏返しにして収容し、そのネック部４ｂを切欠部６ｄに嵌め込むと、図３に示すように、第一のスタンド４の両側面４ａ，４ａの後半部分がスタンド収容凹部６，６の第一の当止面６ｂ，６ｂで両側から当止されて両側方向（図３では上下方向）に位置決めされると共に、ネック部４ｂが切欠部６ｄで前後方向（図５では左右方向）に位置決めされるため、第一のスタンド４はカタツキなく収容凹部６，６に収容されて梱包される。
【００１９】
そして、図４に示すように、上記スタンド収容凹部６，６に第二のスタンド５を裏返しにして収容し、ネック部５ｂを切欠部６ｄに嵌め込むと、スタンド５の両側面５ａ，５ａの前半部分が収容凹部６，６の第二の当止面６ｃ，６ｃで両側から当止されて両側方向（図４では上下方向）に位置決めされると共に、ネック部５ｂが切欠部６ｄで前後方向（図６では左右方向）に位置決めされるため、第二のスタンド５も第一のスタンド４と同様にカタツキなく収容凹部６，６に収容されて梱包される。
【００２０】
このように、どちらのスタンド４，５を梱包する場合でも、上記のスタンド収容凹部６，６を分割して形成した上部樹脂発泡体１と下部樹脂発泡体２からなる梱包用緩衝材を共用できるので、これまでのように第一のスタンド４に合致する形状の収容凹部を備えた梱包用緩衝材と、第二のスタンド５に合致する形状の収容凹部を備えた梱包用緩衝材を別々に作製することが不要となり、梱包費用の大幅な削減が可能となる。
【００２１】
なお、この実施形態では、上部樹脂発泡体１に分割形成されたスタンド収容凹部６の方が、下部樹脂発泡体２に分割形成されたスタンド収容凹部６よりも小さくなるように、上部樹脂発泡体１の背面下端部をカットして、材料樹脂の使用量を節約しているが、上部樹脂発泡体１と下部樹脂発泡体２にそれぞれ分割形成されるスタンド収容凹部６，６を同じ大きさとし、これらのスタンド収容凹部６，６の底部に上記切欠部６ｄをそれぞれ形成しても勿論よい。このようにすると、スタンド４，５のネック部４ｂ，５ｂの両端部が切欠部６ｄに嵌まり込んで位置決めされるため、スタンド４，５を一層ガタツキなく梱包できる利点がある。
【００２２】
また、スタンド収容凹部６の第一の当接面６ｂや第二の当接面６ｃに小さな凸部を一つ又は二つ以上突設してもよく、このようにすると、第一及び第二のスタンド４，５の両側面４ａ，５ａが上記凸部によって両側から押圧され、強く挟持されるので、より一層ガタツキなく梱包できる利点がある。
【００２３】
上部樹脂発泡体１の上面に形成された前記備品収容凹部７ａは図６に示すようにリモートコントロール装置８を収容する凹部、備品収容凹部７ｂは電池９を収容する凹部、備品収容凹部７ｃは電池９よりも小さい付属備品であるスタンド取付用のネジ１０を収容する凹部であって、このスタンド取付用のネジ１０を収容する備品収容凹部７ｃは、電池９を収容する備品収容凹部７ｂの底に形成されている。
【００２４】
このように備品収容凹部７ｂ，７ｃを上下に重ねて形成すると、運搬等の途中でネジ１０が下側の備品収容凹部７ｃから飛び出そうとしても、その上の備品収容凹部７ｂに収容された電池９によってネジ１０の飛び出しが阻止されるため、ネジ１０を紛失する恐れはなくなり、また、梱包時には、ネジ１０を下側の備品収容凹部７ｃに収容してから電池９を上側の備品収容凹部７ｂに収容することになるので、ネジ１０の梱包忘れを防止することができ、更に、備品収容凹部を形成するためのスペースを縮小することもできる。
【００２５】
以上、被梱包品として液晶テレビを梱包する場合を例示して本発明の梱包用緩衝材を説明したが、本発明の梱包用緩衝材は液晶テレビの梱包に限定使用されるものではなく、スタンドを一緒に梱包する全ての被梱包品の梱包に使用できるものである。
【図面の簡単な説明】
【００２６】
【図１】本発明の一実施形態に係る梱包用緩衝材の斜視図である。
【図２】同梱包用緩衝材の背面図である。
【図３】スタンド収容凹部にスタンドを収容した同梱包用緩衝材の背面図である。
【図４】スタンド収容凹部に他のスタンドを収容した同梱包用緩衝材の背面図である。
【図５】（ａ）及び（ｂ）はスタンドの一例を示す平面図及び側面図、（ｃ）及び（ｄ）はスタンドの他の例を示す平面図及び側面図である。
【図６】備品収容凹部に付属備品を収容した同梱包用緩衝材の上部樹脂発泡体の部分平面図である。
【図７】図６のＡ−Ａ線拡大断面図である。
【符号の説明】
【００２７】
１    上部樹脂発泡体
２    下部樹脂発泡体
３    液晶テレビ（被梱包品）
４    第一のスタンド
４ａ  ほぼ平行な両側面
４ｂ  ネック部
５    第二のスタンド
５ａ  前拡がり状に傾斜した両側面
５ｂ  ネック部
６    スタンド収容凹部
６ａ  両側内面
６ｂ  第一の当止面
６ｃ  第二の当止面
【図１】
2010149869.tif 000003
【図２】
2010149869.tif 000004
【図３】
2010149869.tif 000005
【図４】
2010149869.tif 000006
【図５】
2010149869.tif 000007
【図６】
2010149869.tif 000008
【図７】
2010149869.tif 000009